(57)【要約】【課題】  引張荷重によって継手金具であるニップルとベースリングとの間が離脱することのないフレキシブル管継手を提供する。【解決手段】フレキシブル管継手の構造であって、ベローズ２１とブレード２２とを有するフレキシブル管の端部において、該ベローズの端部はニップル２３に結合され、該ブレードの端部はベースリング２４に結合され、該ベースリングの一部がニップルの拡径部２３Ｂに嵌挿され、該ベースリングの外周面と該ニップルの拡径部内周面とにそれぞれ環状凹溝２３Ｃ，２４Ｃが形成され、これらの環状凹溝によって形成される格納孔内に直結リングＲが内装されている。【選択図】  図２
0003105768.tif 000002
【実用新案登録請求の範囲】
【請求項１】
ベローズとブレードとを有するフレキシブル管の端部において、該ベローズの端部はニップルに結合され、該ブレードの端部はベースリングに結合され、該ベースリングの一部がニップルの拡径部に嵌挿され、該ベースリングの外周面と該ニップルの拡径部内周面とにそれぞれ環状凹溝が形成され、これらの環状凹溝によって形成される格納孔内に直結リングが内装されていることにより引張荷重が加わってもニップルとベースリングが離脱しないことを特徴とするフレキシブル管継手。
【請求項２】
請求項１記載のフレキシブル管継手であって、上記ベースリングの外周面に設けた他の環状凹溝には、フレキシブル管のブレード端部が固定リングによってかしめ固定されることを特徴とするフレキシブル管継手。
【請求項３】
請求項１記載のフレキシブル管継手であって、上記ニップルは連結ねじ部を有し、口径がφ＝８０ｍｍ以下の配管の継手に適するものであることを特徴とするフレキシブル管継手。
【請求項４】
請求項１又は２記載のフレキシブル管継手であって、上記ニップルは合成樹脂により製作され、管継手部分の異種金属接触による腐食を防止することを特徴とするフレキシブル管継手。
【考案の詳細な説明】
【技術分野】
【０００１】
本願考案はフレキシブル管継手の改良に係り、特に、フレキシブル管と継手金具との結合部分における新規な構造を特徴とするものである。
【背景技術】
【０００２】
図３、図４により、従来公知のフレキシブル管継手の構造を説明する。
図３及び図４は、従来公知のフレキシブル管継手の要部の一部断面を示す説明図である。このような従来一般のフレキシブル管継手１０にあっては、図３に示すようにベローズ１１及びブレード１２からなるフレキシブル管部分と、これに結合された継手金具であるニップル１３及びベースリング１４からなっている。
【０００３】
このような形式のフレキシブル管継手１０においては、フレキシブル管を構成するベローズ１１は、その蛇腹部分１１Ａに続いて直管部分１１Ｂが形成され、該直管部分１１Ｂが上記ベースリング１４の内面を経てニップル１３の接続端まで延びるとともに、該端部に拡開部分１１Ｃが設けられ、ここでニップル１３の接続端面に折り曲げにより固定される。また、符号１３Ｄはニップル１３の接続端側に設けられたねじ部を示しており、このような形式の管継手では対象の管口径がφ＝８０ｍｍ以下となっている。
【０００４】
一方、ベースリング１４の外周面には環状凹溝１４Ａが設けられており、また、上記フレキシブル管のブレード１２の端部には固定リング１６が溶接等により結合されており、該固定リング１６を例えばかしめ等の手段で該環状凹溝１４Ａ部分に締結することによって、フレキシブル管と継手金具等を結合する構造となっている。
【０００５】
ところで、このような従来公知の構造のフレキシブル管継手を用いた配管にあっては、例えば地震時等により埋設配管に引張荷重が加わった場合には、図４に示すように継手自体が変形する欠点があった。
すなわち、図３により説明したごとく、継手金具を構成する一方の部材であるニップル１３は、フレキシブル管のベローズ１１における直管部分１１Ｂの端部１１Ｃに結合されており、他方、継手金具を構成する他の部材であるベースリング１４は、同じくフレキシブル管のブレード１２に固定リング１６を介して固定されている。
【０００６】
このため、埋設配管に引張荷重が作用すると図４に示すように、他の配管にねじ部１３Ｄによって結合されているニップル１３及びこれと結合されたベローズ１１の直管部分１１Ｂに対して、フレキシブル管継手のブレード１２とこれに結合されているベースリング１４が、図示のごとく引き離されるように引張荷重Ｆを受けることとなる。この場合、従来のフレキシブル管継手１０にあっては、継手金具部分を構成するニップル１３とベースリング１４との間は、単に突き合わせた状態であるので、上記の引張荷重Ｆによってブレード１２がベースリング１４を図面右側に引き寄せ、ベローズ１１の蛇腹部分１１Ａの端部を変形させることとなる。このため、図４に示すようにニップル１３とベースリング１４との間が離脱し、管継手としての機能を損なうと言う不具合を生じていた。
【特許文献１】特開２００１−２８９３７９号公報
【考案の開示】
【考案が解決しようとする課題】
【０００７】
本願考案はこの様な欠点を解消し、引張荷重によって継手金具であるニップルとベースリングとの間が離脱することのないフレキシブル管継手を提供するものである。
【課題を解決するための手段】
【０００８】
本願考案は、フレキシブル管継手の構造であって、ベローズとブレードとを有するフレキシブル管の端部において、該ベローズの端部はニップルに結合され、該ブレードの端部はベースリングに結合され、該ベースリングの一部がニップルの拡径部に嵌挿され、該ベースリングの外周面と該ニップルの拡径部内周面とにそれぞれ環状凹溝が形成され、これらの環状凹溝によって形成される格納孔内に直結リングが内装されていることを特徴とする。
【考案の効果】
【０００９】
本願考案に係るフレキシブル管継手によれば、埋設等の配管状態において地震等による引張り力が作用しても、継手金具部分であるニップルとベースリングとは一体的に結合状態とされ、両金具が離脱する恐れがないため、極めて簡単な構造によって従来品の不具合を解消することができた。
【考案を実施するための最良の形態】
【００１０】
本願考案の実施形態を図１、図２により説明する。
図１は、本願考案に係るフレキシブル管継手２０の、特に継手金具部分のみを分解した状態で、その一部断面を示している。また、図２は、図１に示す継手金具を有するフレキシブル管継手２０の完成図であって、その一部断面を示している。
【００１１】
図１において、基本的には従来のものと同様にニップルとベースリングとによって継手金具部を構成する。
本願考案のニップル２３は、いずれも筒状の基筒部２３Ａと拡径筒部２３Ｂとを有しており、該拡径筒部２３Ｂ内に嵌入するベースリング２４と対をなすものである。そして、該ニップル２３とベースリング２４との嵌入部分に直結リングＲを介在させることにより、両者間の引張り力に抗するように構成されている。
【００１２】
詳細を説明すると、ニップル２３はその基筒部２３Ａの外周に、他の配管とねじによって結合されるねじ部２３Ｄを有している。そして、該基筒部２３Ａの内周面には、上記図３、４に示す従来例と同様に、フレキシブル管のベローズ（図２参照）の直管部分が挿通され、同様にそのベローズの拡開部分が該基筒部２３Ａの端部に結合される。
該基筒部２３Ａに続いて拡径筒部２３Ｂが設けられ、その内周側には環状凹溝２３Ｃが設けられている。
【００１３】
これに対して、ベースリング２４はその外径が上記ニップル２３の拡径筒部２３Ｂの内径よりもやや小さく形成され、その外周側に環状凹溝２４Ｃが設けられている。そして、これらの環状凹溝２３Ｃ，２４Ｃの設置位置は、図２に示すように、上記ニップル２３の拡径筒部２３Ｂ内にベースリング２４を嵌挿した状態で、当該２つの環状凹溝２３Ｃ，２４Ｃが対向する位置に設けられており、その結果後述するようにして、直結リングＲのための環状の格納孔を形成するものである。
【００１４】
図１において符号Ｒは、例えば銅線からなる直結リングを示しており、ベースリング２４の環状凹溝２４Ｃに先ず図示Ｒ１の状態でセットされる。次に、ベースリング２４の環状凹溝２４Ｃ内で直結リングＲをＲ１からＲ２の位置まで押し込んだ状態で、ベースリング２４をニップル２３の拡径部２３Ｂ内に嵌挿すると、両者の位置関係は図２に示すようになる。なお、ベースリング２４には従来例と同様に、ブレード固定用の環状凹溝２４Ａが、その外周に設けられている。
【００１５】
その後図２に示すように、ベースリング２４の環状凹溝２４Ａにフレキシブル管をそのブレード２２に固着された固定リング２６をかしめることによって結合し、同じくフレキシブル管のベローズ２１の直管部分２１Ｂがニップル２３の基筒部２３Ｂを通って端部まで挿通され、その直管部分の端は拡開部２１Ｃとされて基筒部２３Ｂの端面に固着される。
【００１６】
この様にして形成された、図２に示す本願考案のフレキシブル管継手２０は、管の継手金具であるニップル２３とベースリング２４とが、夫々の環状凹溝２３Ｃ，２４Ｃによって形成される格納孔内に直結リングＲを格納した状態で構成されるので、同図の矢印Ｆのごとく従来例と同様の引張力が作用した場合にも、該格納孔内の直結リングＲに作用する剪断力によって、ニップル２３とベースリング２４との移動が規制される。
従って、地震等による引張力の作用時にも、フレキシブル管継手の機能を損うことがない。
【図面の簡単な説明】
【００１７】
【図１】本願考案に係るフレキシブル管継手の、金具部分のみを分解し、その一部断面を示す説明図である。
【図２】図１に示す継手金具を有するフレキシブル管継手の完成品の一部断面図である。
【図３】従来公知のフレキシブル管継手の一部断面を示す構造説明図である。
【図４】従来公知のフレキシブル管継手の一部断面を示す構造説明図である。
【符号の説明】
【００１８】
２０  フレキシブル管継手
２１  ベローズ
２２  ブレード
２３  ニップル
２３Ａ  筒部
２３Ｂ  拡径筒部
２３Ｃ  環状凹溝
２３Ｄ  ねじ部
２４  ベースリング
２４Ａ  外側環状溝
２４Ｃ  環状凹溝
Ｒ  直結リング
【図１】
0003105768.tif 000003
【図２】
0003105768.tif 000004
【図３】
0003105768.tif 000005
【図４】
0003105768.tif 000006